(57)【特許請求の範囲】
【請求項１】
リベットから引抜ピンを引き抜くためのチャック機構を有するチャック部と、前記チャック機構からの引抜ピンを回収する回収通路を内部に有するリベッター本体部と、前記回収通路において、前記チャック機構とは反対側に流通させる空気を加速させることで、前記チャック機構内を負圧にして前記引抜ピンを吸引するバキューム機構を有するバキューム部であって、前記チャック機構の反対側に取り付けられたバキューム部とを備えたリベッターにおいて、
前記リベッター本体部の前記回収通路の終端を気密に開閉する開閉部材を備え、該開閉部材は、回収通路に対向して配置される底壁部と、前記底壁部の外周に一端が接続されるとともに、リベッター本体部に他端が外嵌された周壁部であって、一端側に排気孔が形成された周壁部とを備え、外部からの押圧で底壁部が前記回収通路を気密に閉塞して、閉塞された前記回収通路内の空気をチャック機構側に逆流させることを特徴とするリベッター。
【請求項２】
前記開閉部材は、ゴム製又は軟質樹脂製のキャップであることを特徴とする請求項１に記載のリベッター。
【発明の詳細な説明】
【技術分野】
【０００１】
本発明は、二つ以上の部材をリベット締めする際に使用するリベッターに関する。
【背景技術】
【０００２】
従来、リベッターとしては、エアーリベッターがある、該エアーリベッター１００は、例えば、図７に示す如く、リベットＲから引抜ピンＰを引き抜くためのチャック機構１０２を有するチャック部１０１と、チャック機構１０２から引抜ピンＰを回収する回収通路１０３ａを内部に有するリベッター本体部１０３と、チャック部１０１とは反対側に取り付けられる回収機構部１０４とを備えたものが知られている（特許文献１参照）。そして、この種のリベッターとして、回収機構部１０４が、リベッター本体部１０３に取り付けられる有底筒状の回収容器１０５を備えたものがある。
【０００３】
かかる構成のリベッター１００によれば、チャック機構１０２によってリベットＲから引き抜かれた引抜ピンＰがエアーにより吸引され、回収容器１０５内に回収される。
【先行技術文献】
【特許文献】
【０００４】
【特許文献１】特開２０００―２３７８３８号公報
【発明の概要】
【発明が解決しようとする課題】
【０００５】
ところで、上記構成のリベッターの場合、回収容器１０５があると、その分、外方に大きく突出することになり、リベッター本体部１０３が大型化するため、これを抑制する要望がある。
【０００６】
そこで、本発明は、斯かる実情に鑑み、回収容器がなくても、引き抜かれたリベットの引抜ピンを効率よく回収できるリベッターを提供することを課題とする。
【課題を解決するための手段】
【０００７】
本発明に係るリベッターは、リベットから引抜ピンを引き抜くためのチャック機構を有するチャック部と、前記チャック機構からの引抜ピンを回収する回収通路を内部に有するリベッター本体部と、前記回収通路において、前記チャック機構とは反対側に流通させる空気を加速させることで、前記チャック機構内を負圧にして前記引抜ピンを吸引するバキューム機構を有するバキューム部であって、前記チャック機構の反対側に取り付けられたバキューム部とを備えたリベッターにおいて、前記リベッター本体部の前記回収通路の終端を気密に開閉する開閉部材を備え、該開閉部材は、回収通路に対向して配置される底壁部と、前記底壁部の外周に一端が接続されるとともに、リベッター本体部に他端が外嵌された周壁部であって、一端側に排気孔が形成された周壁部とを備え、外部からの押圧で底壁部が前記回収通路を気密に閉塞して、閉塞された前記回収通路内の空気をチャック機構側に逆流させることを特徴とする。
【０００８】
かかる構成によれば、リベット締めされた際、リベットから引き抜かれた引抜ピンが、バキューム機構によって吸引されてリベッター本体部の回収通路にたまる。この状態において、開閉部材を外部から押圧すると、開閉部材によって前記回収通路が閉塞されて、前記回収通路内の空気がチャック機構側に逆流され、前記回収通路にたまった引抜ピンがチャック機構から外部へ瞬時に回収できるようになる。
【０００９】
また、開閉部材に対する押圧を解除すると、前記回収通路の終端が開放されようになり、リベット締め作業を行えるスタンバイ状態となる。
【００１０】
また、本発明に係るリベッターの一態様として、前記開閉部材は、ゴム製又は軟質樹脂製のキャップであることが好ましい。
【００１１】
かかる構成によれば、キャップがゴム製又は軟質樹脂製であることから、リベッター本体部に容易に取り付けることができ、前記回収通路の終端を気密に開閉できる。
【発明の効果】
【００１２】
本発明によれば、回収容器がなくても、リベットから引き抜かれた引抜ピンを効率よく回収できるという優れた効果を奏し得る。
【図面の簡単な説明】
【００１３】
【図１】本発明の一実施形態に係るリベッターを示す正面図。
【図２】同実施形態に係るリベッターの断面図。
【図３】同実施形態に係るリベッターのバキューム部を示す拡大断面図。
【図４】同実施形態に係るリベッターの要部の分解斜視図。
【図５】（ａ）〜（ｄ）は、同実施形態に係るリベッターの開閉部の開閉部材を示す正面図、断面図、右側面図、左側面図。
【図６】同実施形態に係るリベッターのバキューム部に使用される留め具を示す図であり、（ａ）は正面図、（ｂ）は側面図。
【図７】従来のリベッターの断面図を示す。
【発明を実施するための形態】
【００１４】
以下、本発明の一実施形態に係るリベッターについて、図１〜図６（ａ），（ｂ）を参照しつつ説明する。なお、本実施形態においては、前記リベッターとしては、エアーリベッターを例にとって説明する。
【００１５】
まず、本実施形態に係るリベッター１は、図１〜図４に示す如く、リベットＲから引抜ピンＰを引き抜くためのチャック機構３を有するチャック部２と、チャック機構３からの引抜ピンＰを回収する回収通路４ａを内部に有するリベッター本体部４と、チャック機構３の反対側に取り付けられたバキューム部５と、リベッター本体部４の回収通路４ａの終端側に取り付けられた開閉部６とを備える。
【００１６】
チャック部２は、複数の引抜ピンＰを直列してストックできる長さを有している。
【００１７】
リベッター本体部４は、有底筒状の第一シリンダー部４０と、該第一シリンダー部４０の開口を封止した状態で上方に延出したハンドル部４１と、該ハンドル部４１に対して交差するように、該ハンドル部４１の前後方向に延出して形成された第二シリンダー部４２とで構成されている。
【００１８】
第一シリンダー部４０内には、ハンドル部４１内（後述するオイル室４１ａ）に挿入されたピストンロッド４００の下端に固着されたエアーピストン４０１が内装されている。また、第一シリンダー部４０の上部には、エアーコンプレッサー（図示せず）に接続され、エアーピストン４０１を上方に押し上げる圧縮空気の供給と供給停止とを切り替える弁機構４０２が装着されている。
【００１９】
ハンドル部４１の内部には、上端が第二シリンダー部４２に流路接続され、内部に作動油が入れられた筒状のオイル室４１ａが形成され、該オイル室４１ａ内に、エアーピストン４０１に固着されたピストンロッド４００が、上下方向に移動可能に挿入されている。
【００２０】
そして、ハンドル部４１の前面には、押しボタン式のトリガースイッチ４１０が設けられている。該トリガースイッチ４１０は、弁機構４０２に接続されており、トリガースイッチ４１０を押すことにより、弁機構４０２が作動してエアーピストン４０１を上方に移動させ、ピストンロッド４００でオイル室４１ａの作動油を第二シリンダー部４２に供給するように構成されている。
【００２１】
第二シリンダー部４２は、ハンドル部４１と交差するように、該ハンドル部４１と一体的に形成されたシリンダー４２０を備えている。該シリンダー４２０には、シリンダー４２０の内面を摺動する環状のピストン４２１が往復動可能に内装されている。また、シリンダー４２０は、後述する開閉部６の開閉部材６０を接続するための接続部材４２２を備えている。
【００２２】
バキューム部５は、チャック機構３の反対側に取り付けられ、引抜ピンＰを吸引するバキューム機構５０を有する。
【００２３】
バキューム機構５０は、第二シリンダー部４２のピストン４２１に軸方向に接続された筒状のロッド４２１０と、ピストン４２１、ロッド４２１０、チャック機構３に挿通された管体４２５と、ロッド４２１０の端部に先細りに形成された絞り部４２６と、絞り部４２６に接続されたノズル体４２７とを備える。すなわち、バキューム機構５０は、回収通路４ａ内に、チャック機構３側から回収通路４ａ側への空気の流れを形成している。また、バキューム機構５０に供給される空気は、トリガースイッチ４１０の操作によって制御されるものではなく、エアーコンプレッサーが接続されている間は常時供給されている。
【００２４】
また、ロッド４２１０の絞り部４２６の手前（絞り部４２６と管体４２５との間）に、吸引された引抜ピンＰを留めるための留め具４２３が取り付けられている。該留め具４２３は、図６（ａ），（ｂ）に示す如く、中央部に配置された略円形状の第一閉塞部４２３０と、該第一閉塞部４２３０の周囲に等間隔に配置された扇形状の第二閉塞部４２３１（本実施形態では４つ）とを備えている。したがって、回収通路４ａに供給された空気は、第二閉塞部４２３１の間を通って流れて、この空気によって吸引された引抜ピンＰは、第一閉塞部４２３０に留まった状態になる。吸引された引抜ピンＰを、第一閉塞部４２３０に留まった状態にする理由としては、引抜ピンＰが絞り部４２６側にあると、エアーの流れが乱れて流れが悪くなるためである。また、絞り部４２６よりも後方にエアーの流れを阻害するものがあると、吸引力が低下するためである。これらの理由から、引抜ピンＰを留め具４２３の位置（負圧側）で留めることにしている。
【００２５】
ロッド４２１０は、チャック機構３が一端に接続されている。管体４２５は、ピストン４２１、ロッド４２１０、チャック機構３に一直線状の回収通路４ａを形成する。
【００２６】
ノズル体４２７は、絞り部４２６が内挿される大筒部４２７ａと、該大筒部４２７ａから延出される小筒部４２７ｂとを備えている。
【００２７】
大筒部４２７ａの開口端に形成された鍔部４２７ｃが、コイルバネＣによって付勢されることで、ピストン４２１及びロッド４２１０が後退位置（引抜ピンＰを回収する際に後退する位置）から元の位置に戻るようになる。ノズル体４２７の小筒部４２７ｂには、案内筒４２８が接続され、引抜ピンＰをキャップ６０の近傍位置まで導いている。
【００２８】
そして、シリンダー４２０内部に供給された圧縮空気が絞り部４２６を通過する。この際、絞り部４２６によって圧縮空気の流速が速められて、管体４２５内が負圧状態となり、ノズル体４２７側への引き込み作用（空気の流れ）が生じ、チャック機構３内に残った引抜ピンＰが吸引されて留め具４２３に留まった状態になる。
【００２９】
開閉部６は、図５（ａ）〜（ｄ）に示す如く、断面が略等脚台形状を呈した有底筒状の開閉部材（ゴム製又は軟質樹脂製のキャップ）６０を備えている。該キャップ６０は、周面に沿って排気孔６０ａが形成されている。そして、キャップ６０は、外部からの押圧によって回収通路４ａの終端を気密に閉塞することで、回収通路４ａの内部に流入された空気をチャック機構３側に逆流させて、回収通路４ａにたまった引抜ピンＰをチャック機構３側から排出して回収する。
【００３０】
キャップ６０は、リベッター本体部４に容易に取り付けることができ、リベッター本体部４に対して気密に取り付けられる。また、キャップ６０は、常態では、回収通路４ａと外部とが排気孔６０ａを介して連通した状態になっている。
【００３１】
つぎに本実施形態に係るリベッター１の使用態様について説明する。鋼板などに形成された孔に挿通されたリベットＲのピンＰを、チャック機構３内に挿通した状態は、図２に示す如く、ピストンロッド４００は下降位置にあり、第二シリンダー部４２のピストン４２１はシリンダー４２０の前方に位置している。この状態から、トリガースイッチ４１０を押し操作すれば、弁機構４０２が作動して第一シリンダー部４０内に圧縮空気が供給され、エアーピストン４０１が上昇する。
【００３２】
そして、エアーピストン４０１の上昇に伴って、ピストンロッド４００によってオイル室４１ａ内の作動油が、第二シリンダー部４２内に供給されて、ピストン４２１が後退し、ロッド４２１０を介してチャック機構３がリベットＲの引抜ピンＰを把持し、この状態でさらにピストン４２１が後退することで、チャック機構３に把持された引抜ピンＰがリベットＲから引き抜かれ、リベットＲのかしめ処理が完了して鋼板同士を締結することができる。
【００３３】
そして、トリガースイッチ４１０に対する押圧を解除すると、コイルバネＣによって付勢されたピストン４２１が前方に移動して、シリンダー４２０内に供給された作動油が再度オイル室４１ａ内に戻る。この状態で、チャック機構３が引抜ピンＰの把持を解除するが、引抜ピンＰは、チャック機構３内に位置したままとなる。
【００３４】
そして、シリンダー４２０内部に供給された圧縮空気が絞り部４２６を通過する。この際、絞り部４２６によって圧縮空気の流速が速められて、案内筒４２８、回収通路４ａを通ってキャップ６０の内部に圧送されるが、キャップ６０の排気孔６０ａから外部へ排気される。すなわち、回収通路４ａの終端と外部とが連通した状態になる。
【００３５】
したがって、絞り部４２６により管体４２５内が負圧状態となり、ノズル体４２７側への引き込み作用（空気の流れ）が生じ、チャック機構３内に残った引抜ピンＰが吸引されて留め具４２３に留まった状態になる。
【００３６】
この際、キャップ６０は、前記圧縮空気によって回収通路４ａの終端から離間して、回収通路４ａの終端を開放した状態になっている。この状態において、キャップ６０を外部から押圧すると、キャップ６０が回収通路４ａの終端を閉塞して、回収通路４ａ内の空気がチャック機構３側に逆流され、リベッター本体部４の回収通路４ａにたまった引抜ピンＰがチャック機構３から外部へ瞬時に排出されて回収される。
【００３７】
また、キャップ６０に対する押圧を解除すると、回収通路４ａの終端が開放されるようになる。すなわち、リベッター１は、リベット締め作業を行えるスタンバイ状態をとることができるようになる。
【００３８】
以上のように、本実施形態に係るリベッターは、回収容器がなくても、リベットＲから引き抜かれた引抜ピンＰを効率よく回収することができる。
【００３９】
なお、本発明は、上記実施形態に限定されるものではなく、本発明の要旨を逸脱しない範囲で適宜変更を加え得ることは勿論のことである。
【００４０】
例えば、上記実施形態において、開閉部６の開閉部材として、断面が略円錐台形状のキャップ６０を使用したが、回収通路４ａの終端を気密に開閉できる円形状のパッキンを有するキャップであってもよい。要は、開閉部材としては、回収通路４ａにたまった引抜ピンＰを、チャック機構３から外部に排出できるように、回収通路４ａ内の空気をチャック機構３側に逆流させることができればよい。
【符号の説明】
【００４１】
１…リベッター、２…チャック部、３…チャック機構部、４…リベッター本体部、４ａ…回収通路、５…バキューム部、５０…バキューム機構、６…開閉部、６０，６０Ａ〜６０Ｃ…開閉部材（キャップ）
【要約】      （修正有）【課題】回収容器がなくても、引き抜かれたリベットのピンを効率よく回収できるようにする。【解決手段】リベットから引抜ピンを引き抜くためのチャック機構３を有するチャック部２と、チャック機構３からの引抜ピンを回収する回収通路４ａを内部に有するリベッター本体部と、回収通路４ａにおいて、チャック機構３とは反対側に流通させる空気を加速させることで、チャック機構３内を負圧にして引抜ピンを吸引するバキューム機構５０を有するバキューム部５であって、チャック機構３の反対側に取り付けられたバキューム部５とを備えたリベッター１において、リベッター本体部の回収通路４ａの終端を気密に開閉する開閉部材６０を備え、開閉部材６０は、外部からの押圧で回収通路４ａを気密に閉塞する開閉部材６０であって、閉塞された回収通路４ａ内の空気をチャック機構３側に逆流させるための開閉部材６０を備える。【選択図】図２【図１】
0005526273.tif 000002
【図２】
0005526273.tif 000003
【図３】
0005526273.tif 000004
【図４】
0005526273.tif 000005
【図５】
0005526273.tif 000006
【図６】
0005526273.tif 000007
【図７】
0005526273.tif 000008